(57)【要約】【課題】尿等の横漏れ防止効果を有し、トップシートでの尿等の吸収性に優れた吸収性物品を提供する。【解決手段】液透過性のトップシート２と液不透過性のバックシート３とこれらの間に設けられた吸収体４を有する吸収性物品１であって；トップシート２は、前後方向ｙに対して傾斜して一方向と他方向に延びる複数の直線部９から構成された四角格子状のエンボス部８と、エンボス部８に囲まれた非エンボス部１０とを有し；トップシート２の幅方向ｘの両側に前後方向ｙに延びるサイドシート６が設けられ、サイドシート６が、トップシート２の肌面側に設けられたサイド接合部７でトップシート２に接合されており；サイド接合部７は、前後方向ｙの全体にわたってサイドシート６の幅方向ｘの内方端から５ｍｍ以内の領域に設けられている。【選択図】図１
2020116155.tif 000002
【特許請求の範囲】
【請求項１】
前後方向と幅方向を有し、液透過性のトップシートと液不透過性のバックシートとこれらの間に設けられた吸収体を有する吸収性物品であって、
前記トップシートは、前後方向に対して傾斜して一方向と他方向に延びる複数の直線部から構成された四角格子状のエンボス部と、前記エンボス部に囲まれた非エンボス部とを有し、
前記トップシートの幅方向の両側に前後方向に延びるサイドシートが設けられ、前記サイドシートが、前記トップシートの肌面側に設けられたサイド接合部で前記トップシートに接合されており、
前記サイド接合部は、前後方向の全体にわたって前記サイドシートの幅方向の内方端から５ｍｍ以内の領域に設けられていることを特徴とする吸収性物品。
【請求項２】
前記サイドシートの幅方向の内方端は前記トップシートに対して非接合となっている請求項１に記載の吸収性物品。
【請求項３】
前記サイドシートには弾性部材が設けられていない請求項１または２に記載の吸収性物品。
【請求項４】
前記サイドシートは液不透過性である請求項１〜３のいずれか一項に記載の吸収性物品。
【請求項５】
前記サイド接合部は、前記吸収体と重なって設けられている請求項１〜４のいずれか一項に記載の吸収性物品。
【請求項６】
前記非エンボス部は、前後方向の長さが幅方向の長さよりも長い請求項１〜５のいずれか一項に記載の吸収性物品。
【請求項７】
前記トップシートは短繊維不織布から構成され、当該不織布の構成繊維が前後方向に配向している請求項１〜６のいずれか一項に記載の吸収性物品。
【請求項８】
前記エンボス部は熱エンボス部である請求項１〜７のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
従来、トップシートの幅方向の両側に立ち上がりフラップが設けられた吸収性物品が知られている（例えば特許文献１、２）。吸収性物品に立ち上がりフラップを設けることにより、尿等の横漏れを防止することができる。一方、立ち上がりフラップが設けられない吸収性物品も知られている（例えば、特許文献３）。
【先行技術文献】
【特許文献】
【０００３】
【特許文献１】特開２００４−１８１２５３号公報
【特許文献２】特開２０１２−１８３１３４号公報
【特許文献３】特開平１０−１５１１５２号公報
【発明の概要】
【発明が解決しようとする課題】
【０００４】
特許文献３に開示された吸収性物品では、立ち上がりフラップが設けられていないため、尿等の横漏れが起こりやすくなることが懸念される。このような吸収性物品において尿等の横漏れを防止するためには、トップシート上での尿等の拡散性を抑える対応が考えられるが、この場合、吸収性物品の尿等の吸収性が低下するおそれがある。
【０００５】
本発明は前記事情に鑑みてなされたものであり、その目的は、尿等の横漏れ防止効果を有し、トップシートでの尿等の吸収性に優れた吸収性物品を提供することにある。
【課題を解決するための手段】
【０００６】
前記課題を解決することができた本発明の吸収性物品とは、前後方向と幅方向を有し、液透過性のトップシートと液不透過性のバックシートとこれらの間に設けられた吸収体を有する吸収性物品であって；トップシートは、前後方向に対して傾斜して一方向と他方向に延びる複数の直線部から構成された四角格子状のエンボス部と、エンボス部に囲まれた非エンボス部とを有し；トップシートの幅方向の両側に前後方向に延びるサイドシートが設けられ、サイドシートが、トップシートの肌面側に設けられたサイド接合部でトップシートに接合されており；サイド接合部は、前後方向の全体にわたってサイドシートの幅方向の内方端から５ｍｍ以内の領域に設けられているところに特徴を有する。
【０００７】
本発明の吸収性物品は、トップシートに、前後方向に対して傾斜して一方向と他方向に延びる複数の直線部から構成された四角格子状のエンボス部が形成されているため、トップシート上での尿等の拡散性が高まり、吸収体の広範囲の部分が尿等の吸収に寄与するものとなる。一方、トップシート上での尿等の拡散性が高まると、尿等の横漏れが起こりやすくなることが懸念されるが、トップシートの幅方向の両側にサイドシートが設けられることにより、トップシート上を尿等が幅方向に拡散しても、サイドシートによってさらに幅方向の外方に拡散することが防止される。従って、本発明の吸収性物品は、尿等の吸収性と横漏れ防止効果に優れるものとなる。
【０００８】
サイドシートの幅方向の内方端はトップシートに対して非接合となっていることが好ましい。この場合、サイドシートの幅方向の内方端とトップシートとの間に隙間が形成され、この隙間によってトップシート上を幅方向に拡散した尿等がサイドシートを越えにくくなり、横漏れ防止効果がさらに高まる。
【０００９】
サイドシートには弾性部材が設けられていないことが好ましい。従って、サイドシートは、吸収性物品に通常設けられるような防漏フラップを形成するものとはならない。
【００１０】
サイドシートは液不透過性であることが好ましい。これにより尿等の横漏れ防止効果を高めることができる。
【００１１】
サイド接合部は、吸収体と重なって設けられていることが好ましい。このようにサイド接合部が設けられていれば、トップシート上で尿等が幅方向に拡散しても、その下側に吸収体が存在するため、トップシートを透過した尿等が速やかに吸収体に吸収される。
【００１２】
トップシートの非エンボス部は、前後方向の長さが幅方向の長さよりも長いことが好ましい。このように非エンボス部が形成されることにより、尿等がトップシート上で前後方向に拡散しやすくなる。
【００１３】
トップシートは短繊維不織布から構成され、当該不織布の構成繊維が前後方向に配向していることが好ましく、これにより前後方向への拡散性を高めることができる。
【００１４】
トップシートのエンボス部は熱エンボス部であることが好ましい。これにより、エンボス部での尿等の拡散性を高めることができる。
【発明の効果】
【００１５】
本発明の吸収性物品は、トップシート上での尿等の拡散性に優れ、吸収体の広範囲の部分が尿等の吸収に寄与するものとなる。また、トップシートの幅方向の両側にサイドシートが設けられているため、トップシート上を尿等が幅方向に拡散しても、サイドシートによってさらに幅方向の外方に拡散することが防止される。従って、本発明の吸収性物品は、尿等の吸収性と横漏れ防止効果に優れるものとなる。
【図面の簡単な説明】
【００１６】
【図１】本発明の吸収性物品の一例を表し、吸収性物品を肌面側から見た平面図を表す。
【図２】図１に示した吸収性物品のＩＩ−ＩＩ断面図を表す。
【発明を実施するための形態】
【００１７】
本発明の吸収性物品について、図面を参照して説明する。なお本発明は、図面に示された実施態様に限定されるものではない。
【００１８】
図１および図２には、本発明の吸収性物品の一例として、軽失禁パッドの構成例を示した。図１は、吸収性物品（軽失禁パッド）をトップシート側から見た平面図を表し、図２は、図１に示した吸収性物品のＩＩ−ＩＩ断面図を表す。本願の図では、矢印ｘが幅方向、矢印ｙが前後方向を表し、矢印ｘ，ｙにより形成される面に対して垂直方向が厚み方向ｚを表す。
【００１９】
吸収性物品１は、トップシート２とバックシート３とこれらの間に設けられた吸収体４とを有する。トップシート２は吸収体４の肌面側に配され、バックシート３は吸収体４の非肌面側に配されている。トップシート２を透過した排泄物は、吸収体４により収容される。バックシート３は排泄物が外へ漏れるのを防いでいる。
【００２０】
吸収性物品１は、前後方向ｙと幅方向ｘを有する。前後方向ｙとは、吸収性物品を着用した際に着用者の股間の前後方向に延びる方向に相当する。幅方向ｘとは、吸収性物品と同一面上にあり前後方向ｙと直交する方向を意味し、吸収性物品を着用した際の着用者の左右方向に相当する。また、吸収性物品を着用者が着用した際に、着用者の肌に向かう側を肌面側とし、その反対側を非肌面側とする。
【００２１】
トップシート２は吸収体４の肌面側に配され、吸収性物品の着用の際に着用者の肌に面するように設けられる。トップシート２は、液透過性であることが好ましい。トップシート２としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００２２】
バックシート３は吸収体４の非肌面側に配され、液不透過性であることが好ましい。バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシート３として、不織布とプラスチックフィルムとの積層体を用いてもよい。
【００２３】
吸収体４は、尿等の排泄物を吸収できる吸収性材料を含むものであれば特に限定されない。吸収体４としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２４】
吸収性材料は、尿等の吸収速度を高める点から、親水性繊維を含むことが好ましい。また、吸収容量を高める点からは、吸収性材料は吸水性樹脂を含むことが好ましい。従って、吸収体４は親水性繊維（特にパルプ繊維）と吸水性樹脂を含むことが好ましい。この場合、例えば、親水性繊維の集合体に吸水性樹脂を混合または散布したものを用いることが好ましい。
【００２５】
吸収体４は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２６】
吸収体４の形状（平面形状）は特に限定されない。吸収体４の形状は、用途に応じて適宜決定すればよく、例えば、略長方形、砂時計形、ひょうたん形、羽子板形等が挙げられる。
【００２７】
図面ではバックシート３と吸収体４との間に台紙５が設けられており、台紙５により吸収性物品１の形状保持性を向上させることができる。台紙５は、クレープ紙や不織布から構成することができる。台紙５は設けなくてもよい。
【００２８】
トップシート２やバックシート３として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２９】
トップシート２には、四角格子状のエンボス部８が形成されている。四角格子状のエンボス部８は、前後方向ｙに対して傾斜して一方向と他方向に延びる複数の直線部９から構成されており、直線部９においてトップシート２が押圧されている。このようにトップシート２が形成されることにより、尿等がトップシート２上で拡散しやすくなる。すなわち、エンボス部８でトップシート２が圧密されることにより、トップシート２において尿等の平面方向への拡散性が高まる。一方、トップシート２には、四角格子状のエンボス部８に囲まれて非エンボス部１０が形成されるが、非エンボス部１０ではトップシート２が圧密されず、尿等のトップシート２の透過性が確保される。つまり、エンボス部８でトップシート２の平面方向に拡散した尿等が、非エンボス部１０でトップシート２を速やかに透過しやすくなる。エンボス部８での拡散性を高め、非エンボス部１０での液透過性を高める観点からは、トップシート２は不織布から構成されることが好ましい。
【００３０】
エンボス部８は、トップシート２が非加熱状態で押圧されることによって形成されるものであってもよく、加熱状態で押圧されることによって形成されるものであってもよい。いずれの場合も、エンボス部８はトップシート２が単独で押圧されることによって形成されることが好ましい。なお、エンボス部８での尿等の拡散性を高める観点から、エンボス部８は加熱状態で押圧されることによって形成されることが好ましく、すなわち、エンボス部８は熱エンボス部であることが好ましい。この場合、トップシート２は熱融着性繊維を含む不織布から構成されていることが好ましい。また、熱エンボス部では不織布の構成繊維の少なくとも一部が溶融していることが好ましい。熱融着性繊維としては、ポリオレフィン（例えば、ポリプロピレン、ポリエチレン）、ポリエステル（例えば、ＰＥＴ）、ポリアミド（例えば、ナイロン）等の熱可塑性樹脂から構成された繊維が挙げられる。
【００３１】
四角格子状のエンボス部８は、前後方向ｙに対して傾斜して一方向に延びる複数の直線部９Ａ（以下、「第１直線部」と称する）と前後方向ｙに対して傾斜して他方向に延びる複数の直線部９Ｂ（以下、「第２直線部」と称する）とが交差することにより形成される。複数の第１直線部９Ａと複数の第２直線部９Ｂが互いに交差することによって、トップシート２には、略ひし形の非エンボス部１０が複数形成されることが好ましい。「略ひし形」には、完全なひし形のみならず、角が丸まったひし形や角がカットされたひし形も含まれる。また、正方形もひし形の一形態として、ひし形に含まれる。例えばトップシート２を四角格子状のパターンでエンボスした場合、第１直線部９Ａと第２直線部９Ｂの交点では、第１直線部９Ａおよび／または第２直線部９Ｂの線幅がそれ以外の部分よりも太くなる場合がある。そのような場合は、非エンボス部１０は、角が丸まったひし形や角がカットされたひし形に形成され得る。略ひし形の非エンボス部１０は、幅方向ｘと前後方向ｙに複数並んで形成されることが好ましい。
【００３２】
上記のようにトップシート２にエンボス部８が形成されることにより、トップシート２上での尿等の拡散性が高まり、吸収体４のより広範囲の部分が尿等の吸収に寄与するものとなる。一方、トップシート２上での尿等の拡散性が高まると、尿等の横漏れが起こりやすくなることが懸念される。そこで、吸収性物品１には、トップシート２の幅方向ｘの両側に、前後方向ｙに延在するサイドシート６が設けられる。サイドシート６は、トップシート２の肌面側に設けられたサイド接合部７でトップシート２に接合されており、サイド接合部７はサイドシート６の幅方向ｘの内方端から５ｍｍ以内の領域に設けられている。このようにトップシート２の幅方向ｘの両側にサイドシート６が設けられることにより、トップシート２上を尿等が幅方向ｘに拡散しても、サイドシート６によってさらに幅方向ｘの外方に拡散することが防止され、尿等の横漏れが防止される。
【００３３】
サイドシート６は、液透過性であっても液不透過性であってもよく、トップシート２やバックシート３に使用可能なシート材料から構成することができる。なお、尿等の横漏れ防止効果を高める観点から、サイドシート６は液不透過性であることが好ましく、例えば、液不透過性のプラスチックフィルムや液不透過性の不織布等から構成されることが好ましい。
【００３４】
サイドシート６には、弾性部材が設けられない。従って、サイドシート６は、吸収性物品に通常設けられるような防漏フラップを形成するものではない。また上記に説明したように、サイド接合部７がサイドシート６の幅方向ｘの内方端から５ｍｍ以内の領域に設けられるため、サイドシート６のサイド接合部７より幅方向ｘの内方部が防漏フラップとして機能するものともならない。サイドシート６はトップシート２に重なって配され、吸収性物品の使用時もサイドシート６の幅方向ｘの内方端はトップシート２から起立しない。
【００３５】
サイド接合部７は、前後方向ｙの全体にわたって、サイドシート６の幅方向ｘの内方端から５ｍｍ以内の領域に少なくとも設けられる。サイド接合部７は、サイドシート６の幅方向ｘの内方端から５ｍｍを超えた領域にも設けられてもよい。サイド接合部７は、サイドシート６の幅方向ｘの内方端から５ｍｍ以内の領域の少なくとも一部に設けられればよく、サイドシート６の幅方向ｘの内方端がトップシート２に接合していてもよい。サイドシート６は、接着剤や溶着（ヒートシールや超音波溶着）等の公知の接合手段によりトップシート２に接合することができる。
【００３６】
サイドシート６の幅方向ｘの内方端はトップシート２に対して非接合となっていることが好ましい。この場合、サイドシート６の幅方向ｘの内方端とトップシート２との間に隙間が形成され、この隙間によってトップシート２上を幅方向ｘに拡散した尿等がサイドシート６を越えにくくなり、横漏れ防止効果がさらに高まる。
【００３７】
幅方向ｘの一方側に設けられたサイドシート６の内方端と幅方向ｘの他方側に設けられたサイドシート６の内方端は、幅方向ｘに３０ｍｍ以上互いに離間していることが好ましく、４０ｍｍ以上離間していることがより好ましく、５０ｍｍ以上離間していることがさらに好ましい。これにより、トップシート２がサイドシート６によって覆われない部分の面積が確保され、トップシート２上に排泄された尿等が吸収性物品１によって好適に吸収されやすくなる。
【００３８】
サイドシート６の幅方向ｘの外方端は、吸収性物品１の幅方向ｘの外縁と一致していることが好ましい。すなわち、サイドシート６はサイド接合部７よりも幅方向ｘの外方に延在し、吸収性物品１の幅方向ｘの外縁まで延在していることが好ましい。吸収性物品１はまた、肌面側の面がトップシート２とサイドシート６のみから構成されていることが好ましい。
【００３９】
サイド接合部７は、吸収体４と重なって設けられることが好ましく、吸収体４の幅方向ｘの両端部と重なって設けられることがより好ましい。このようにサイド接合部７が設けられていれば、トップシート２上で尿等が幅方向ｘに拡散しても、その下側に吸収体４が存在するため、トップシート２を透過した尿等が速やかに吸収体４に吸収される。
【００４０】
サイド接合部７の幅方向ｘの内方端は、吸収体４の幅方向ｘの外方端から３ｍｍ以上内方に位置することが好ましく、５ｍｍ以上内方に位置することがより好ましく、７ｍｍ以上内方に位置することがさらに好ましい。このようにサイド接合部７が設けられていれば、トップシート２を透過した尿等が吸収体４によって好適に吸収されやすくなる。一方、サイド接合部７の幅方向ｘの内方端は、吸収体４の幅方向ｘの外方端から内方に２５ｍｍ以内に位置することが好ましく、２０ｍｍ以内に位置することがより好ましく、１５ｍｍ以内に位置することがさらに好ましい。このようにサイド接合部７が設けられれば、トップシート２がサイドシート６によって覆われない部分の面積が確保され、トップシート２上に排泄された尿等が吸収性物品１によって好適に吸収されやすくなる。
【００４１】
トップシート２のエンボス部８と非エンボス部１０について詳しく説明する。四角格子状のエンボス部８は、前後方向ｙに対して傾斜して一方向に延びる複数の第１直線部９Ａと前後方向ｙに対して傾斜して他方向に延びる複数の第２直線部９Ｂによって構成される。第１直線部９Ａは、前後方向ｙに対して時計回りに５°以上の角度で傾斜していることが好ましく、１０°以上がより好ましく、１５°以上がさらに好ましく、また４４°以下が好ましく、３５°以下がより好ましく、３０°以下がさらに好ましい。第２直線部９Ｂは、前後方向ｙに対して反時計回りに５°以上の角度で傾斜していることが好ましく、１０°以上がより好ましく、１５°以上がさらに好ましく、また４４°以下が好ましく、３５°以下がより好ましく、３０°以下がさらに好ましい。このように第１直線部９Ａと第２直線部９Ｂが設けられることにより、尿等がトップシート２上を幅方向ｘよりも前後方向ｙに拡散しやすくなり、横漏れ防止効果が高まる。
【００４２】
複数の第１直線部９Ａは略等ピッチで一方向に傾斜して配されることが好ましく、複数の第２直線部９Ｂは略等ピッチで他方向に傾斜して配されることが好ましい。複数の第１直線部９Ａのピッチ長さおよび複数の第２直線部９Ｂのピッチ長さは、３ｍｍ以上が好ましく、４ｍｍ以上がより好ましく、５ｍｍ以上がさらに好ましく、また１５ｍｍ以下が好ましく、１２ｍｍ以下がより好ましく、１０ｍｍ以下がさらに好ましい。複数の第１直線部９Ａ（または第２直線部９Ｂ）のピッチ長さは、隣接する第１直線部９Ａ（または第２直線部９Ｂ）の線幅の中心間の距離を意味する。第１直線部９Ａと第２直線部９Ｂの線幅は０．５ｍｍ以上が好ましく、０．８ｍｍ以上がより好ましく、また２．５ｍｍ以下が好ましく、２．０ｍｍ以下がより好ましい。なお、複数の第１直線部９Ａのピッチ長さは、第１直線部９Ａの線幅よりも大きいことが好ましく、例えば、複数の第１直線部９Ａのピッチ長さは第１直線部９Ａの線幅の２倍以上が好ましく、３倍以上がより好ましく、また２０倍以下が好ましく、１５倍以下がより好ましく、１０倍以下がさらに好ましい。複数の第２直線部９Ｂのピッチ長さは、第２直線部９Ｂの線幅よりも大きいことが好ましく、例えば、複数の第２直線部９Ｂのピッチ長さは第２直線部９Ｂの線幅の２倍以上が好ましく、３倍以上がより好ましく、また２０倍以下が好ましく、１５倍以下がより好ましく、１０倍以下がさらに好ましい。
【００４３】
非エンボス部１０は、前後方向ｙの長さが幅方向ｘの長さよりも長く形成されていることが好ましい。詳細には、四角格子状のエンボス部８によって囲まれた各非エンボス部１０が、前後方向ｙの長さが幅方向ｘの長さよりも長く形成されていることが好ましい。このように非エンボス部１０が形成されることにより、尿等がトップシート２上で前後方向ｙに拡散しやすくなる。非エンボス部１０の前後方向ｙの長さは幅方向ｘの長さの１．２倍以上であることが好ましく、１．５倍以上がより好ましく、また４．０倍以下が好ましく、３．０倍以下がより好ましい。このように非エンボス部１０が形成されていれば、尿等がトップシート２上を前後方向ｙに優先的に拡散しやすくなる。
【００４４】
非エンボス部１０の前後方向ｙの長さは、例えば５ｍｍ以上が好ましく、７ｍｍ以上がより好ましく、１０ｍｍ以上がさらに好ましく、また２５ｍｍ以下が好ましく、２２ｍｍ以下がより好ましく、２０ｍｍ以下がさらに好ましい。非エンボス部１０の幅方向ｘの長さは、例えば３ｍｍ以上が好ましく、４ｍｍ以上がより好ましく、５ｍｍ以上がさらに好ましく、また１６ｍｍ以下が好ましく、１４ｍｍ以下がより好ましく、１２ｍｍ以下がさらに好ましい。
【００４５】
エンボス部８は、トップシート２の吸収体４と重なる領域の少なくとも一部に設けられることが好ましく、トップシート２の吸収体４と重なる領域の全体に設けられていることがより好ましい。このようにエンボス部８が設けられることにより、尿等がトップシート２上の広範囲に拡散しやすくなり、吸収体４の全体が尿等の吸収に寄与しやすくなる。エンボス部８は、トップシート２の全領域にわたって設けられてもよい。
【００４６】
トップシート２において尿等の前後方向ｙへの拡散を促進する観点から、トップシート２は不織布から構成され、当該不織布の構成繊維が前後方向ｙに配向していることが好ましい。より好ましくは、トップシート２は短繊維不織布から構成され、当該不織布の構成繊維が前後方向ｙに配向している。これにより、尿等がトップシート２上を前後方向ｙに優先的に拡散しやすくなるとともに、幅方向ｘへの拡散性も確保される。
【００４７】
構成繊維が一方向に配向した不織布としては、スパンボンド不織布、エアスルー不織布、スパンレース不織布等が挙げられる。不織布の構成繊維の配向方向は、不織布の表面を顕微鏡等で観察することにより確認できる。例えばスパンボンド不織布では、構成繊維の配向方向について次のように説明される。スパンボンド不織布は、例えば、ポリマー原料を溶融し、紡糸口金から押し出して延伸し、これをコンベアベルト等の上に集積して、ウェブ状に形成することにより得られるが、この際、コンベアベルト上に集積されたウェブ（繊維）はコンベアベルトの進行方向に沿って配列されることとなる。従って、この場合、ウェブ（繊維）はコンベアベルトの進行方向（ＭＤ方向）に沿って配向することとなる。エアスルー不織布では、不織布を製造するに当たり、繊維塊形成の際の原料短繊維の集積方法やウェブ形成の際の開繊方法を適宜設定することにより、構成繊維の配向方向を揃えることができる。スパンレース不織布では、不織布を形成する際に、短繊維が分散した水流の流れを制御して繊維を堆積させることで、構成繊維の配向方向を揃えることができる。
【００４８】
トップシート２は、短繊維不織布として、エアスルー不織布またはスパンレース不織布から構成されていることが好ましい。スパンレース不織布やエアスルー不織布は比較的嵩密度を低く形成することができるため、尿等の透過性に優れるものとなる。また上記に説明したように、スパンレース不織布とエアスルー不織布は、当該不織布の構成繊維が前後方向ｙに配向していることが好ましく、これにより前後方向ｙへの拡散性を高めることができる。
【００４９】
以上、本発明の吸収性物品について図面を参照して説明したが、本発明の吸収性物品は図面に示したような軽失禁パッドに限定されず、使い捨ておむつや生理用ナプキンであってもよい。
【００５０】
吸収性物品が使い捨ておむつである場合、使い捨ておむつは、例えば、前腹部と後背部とこれらの間に位置し吸収体が備えられた股部とから構成される。前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００５１】
使い捨ておむつは、テープタイプの使い捨ておむつであってもよく、パンツタイプの使い捨ておむつであってもよい。テープタイプの使い捨ておむつは、例えば、後背部の幅方向の両端部に止着部材が設けられて構成され、当該止着部材を前腹部に止着することにより、着用時にパンツ形状に形成することができる。パンツタイプの使い捨ておむつは、ウェスト開口部と一対の脚開口部とを有するパンツ形状を有し、着用前からパンツ形状に形成されているものである。
【００５２】
吸収性物品が使い捨ておむつである場合は、使い捨ておむつは、例えば、トップシートとバックシートの間に吸収体が配された積層体が、前腹部と後背部とこれらの間に位置する股部とを有するように形成される。使い捨ておむつはまた、前腹部と後背部とこれらの間に位置する股部とを有する外装部材の股部に、トップシートとバックシートの間に吸収体が配された吸収性本体を設けて構成することもできる。後者の場合、外装部材をパンツ形状に形成することで、パンツタイプの使い捨ておむつとすることができる。いずれの場合も、吸収性物品のトップシートやサイドシートを上記に説明したように構成することにより、本発明の吸収性物品とすることができる。
【符号の説明】
【００５３】
１：吸収性物品
２：トップシート
３：バックシート
４：吸収体
５：台紙
６：サイドシート
７：サイド接合部
８：エンボス部
９：直線部、９Ａ：第１直線部、９Ｂ：第２直線部
１０：非エンボス部
【図１】
2020116155.tif 000003
【図２】
2020116155.tif 000004